(57)【要約】【課題】ＲＦシステムにおいて、ＲＦスイッチとＲＦ変調部を一体とする。【解決手段】複数のＲＦ入力端子１１０、１２０は、それぞれアンテナ２１、２２と接続される。ＲＦリレー１３０は、外部入力されたＲＦリレー制御信号により、ＲＦ入力端子１１０、１２０に入力したＲＦ信号を選択的に出力し、マルチ信号中、特定信号を選択し、非選択信号が流入することを回路的に遮断する。ＲＦ信号分配器は、一つ以上のＲＦ信号分配器１５０ａ／１５０ｂで構成され、ＲＦ増幅器１４０から増幅され出力されるＲＦ信号を分配する。ＲＦ変調器１６０は、デジタル（又はアナログ）同調及び復調部５０から出力されるデジタル(又はアナログ)ビデオ／オーデイオ信号を受信し、特定アナログチャンネル放送として変調し、ＲＦ信号を出力する。ＲＦ選択スイッチ１７０は、外部の制御信号に基づき、ＲＦ信号分配器１５０又は変調機１６０から出力されたＲＦ信号を選択し、出力端子１８０に出力する。
2005510138.tif 000002
【特許請求の範囲】
【請求項１】
複数のアンテナ、ＲＦ部、及びデジタル同調及び復調部を含んだマルチメディア受信機において、
前記それぞれのアンテナと接続される複数のＲＦ入力端子と、
前記複数のＲＦ入力端子に受信されたＲＦ信号を、コントロール信号により選択的に出力するＲＦリレーと、
前記ＲＦリレーから出力されるＲＦ信号を増幅するＲＦ増幅器と、
前記ＲＦ増幅器から増幅され出力されるＲＦ信号を分配するＲＦ信号分配器と、
前記ＲＦ信号分配器と接続され、前記デジタル同調及び復調部から出力される信号を受信し、変調してＲＦ信号を出力するＲＦ変調器と、
前記ＲＦ信号分配器から出力されるＲＦ信号及び前記ＲＦ変調器から出力されるＲＦ信号を、制御信号に基づき、少なくとも一つ以上選択的に出力するＲＦ選択スイッチと、
前記ＲＦ選択スイッチから出力される信号を出力するＲＦ出力端子と、を含むことを特徴とするＲＦシステム。
【請求項２】
ＲＦリレーは、マルチ信号中、特定信号を選択し、非選択信号が流入するのを防止することを特徴とする請求項１に記載のＲＦシステム。
【請求項３】
ＲＦリレーで選択されない信号成分が出力されるグランドは、入力信号と出力信号間の分離を確実にするために、５ｍｍ以上の間隔を有することを特徴とする請求項１項又は２項に記載のＲＦシステム。
【請求項４】
アンテナ入力に印加される二つの入力信号ラインのパターンは、高周波信号における入力インピーダンスのマッチングのために、４ｍｍ以上の厚さを有するように形成されることを特徴とする請求項１に記載のＲＦシステム。
【請求項５】
ＲＦリレー部で選択された信号の出力ラインは、出力インピーダンスのマッチングのために、４ｍｍ以上の厚さを有するように形成されることを特徴とする請求項１に記載のＲＦシステム。
【請求項６】
ＲＦ変調器は、デジタル同調及び復調部から出力されるデジタルビデオ／オーディオ信号を受信し、特定アナログチャンネル放送で変調されＲＦ信号を出力することを特徴とする請求項１に記載のＲＦシステム。
【請求項７】
複数のアンテナ、ＲＦ部、及びデジタル同調及び復調部を含むマルチメディア受信機において、
前記それぞれのアンテナと接続される複数のＲＦ入力端子と、
前記複数のＲＦ入力端子に受信されたＲＦ信号を、コントロール信号により選択的に出力するＲＦリレーと、
前記ＲＦリレーから出力されるＲＦ信号を分配するＲＦ信号分配器と、
前記ＲＦ信号分配器と接続された前記デジタル同調及び復調部から出力される信号を入力し変調してＲＦ信号を出力するＲＦ変調器と、
前記ＲＦ信号分配器から出力されるＲＦ信号及び前記ＲＦ変調器から出力されるＲＦ信号を、制御信号に基づき、少なくとも一つ以上選択的に出力するＲＦ選択スイッチと、
前記ＲＦ選択スイッチからの信号を出力するＲＦ出力端子と、を含むことを特徴とするＲＦシステム。
【請求項８】
複数のアンテナ、ＲＦ部、及びデジタル同調及び復調部を含むマルチメディア受信機において、
前記それぞれのアンテナと接続される複数のＲＦ入力端子と、
前記複数のＲＦ入力端子に受信されたＲＦ信号を、コントロール信号により選択的に出力するＲＦリレーと、
前記ＲＦリレーから出力されるＲＦ信号を増幅する第１ＲＦ増幅器と、
前記ＲＦ増幅器から増幅され出力されたＲＦ信号を分配する第１ＲＦ信号分配器と、
前記第１ＲＦ信号分配器から出力されるＲＦ信号を増幅する第２ＲＦ増幅器と、
前記第２ＲＦ増幅器から増幅され出力されたＲＦ信号を分配する第２ＲＦ信号分配器と、
前記第１及び第２ＲＦ信号分配器と接続され、前記デジタル同調及び復調部から出力される信号を入力し変調してＲＦ信号を出力するＲＦ変調器と、
前記第２ＲＦ信号分配器から出力されるＲＦ信号及び前記ＲＦ変調器から出力されるＲＦ信号を、制御信号に基づき、少なくとも一つ以上選択的に出力するＲＦ選択スイッチと、
前記ＲＦ選択スイッチから出力される信号を出力するＲＦ出力端子と、を含むことを特徴とするＲＦシステム。
【請求項９】
第２増幅器は、第１及び第２分配器から出力されるＲＦ信号が、デジタル同調部に入力され作動する場合に発生する干渉を減少させることを特徴とする請求項８に記載のＲＦシステム。
【請求項１０】
ＲＦ信号分配器は、少なくとも一つ以上のＲＦ信号分配器で構成されることを特徴とする請求項１、７、及び８のいずれか１つに記載のＲＦシステム。
【請求項１１】
ＲＦシステムは、ＲＦスイッチ部とＲＦ変調部が一体型であることを特徴とする請求項１、７、及び８のいずれか１つに記載のＲＦシステム。
【発明の詳細な説明】
【技術分野】
【０００１】
本発明は、ＲＦスイッチとＲＦ変調部を一体型にしたＲＦシステムに関するものである。
【背景技術】
【０００２】
以下、本発明と関連する従来技術について説明する。一般的に、図１に図示されるように、従来のデジタル放送、地上デジタル放送と衛星放送等を受信するマルチメディア受信機(ＳＥＴ TＯＰ ＢＯＸ)は、複数のアンテナ(２１、２２)、ＲＦスイッチ部（３０）、及びＲＦ変調部（４０）からなり、上記ＲＦスイッチ部(３０)及びＲＦ変調部(４０)は、互いに分離されている。
複数のアンテナ(２１、２２)は、デジタル放送、地上デジタル放送、衛星放送等の、それぞれ入力されるＲＦ信号を受信する。
【０００３】
ＲＦスイッチ部(３０)は、それぞれのアンテナ(２１、２２)と接続される複数のＲＦ入力端子(３１、３２)と、複数のＲＦ入力端子(３１、３２)に受信されるＲＦ信号を、外部から入力されるＲＦリレーコントロール信号により、スイッチングして選択的に出力するＲＦリレー(３３)と、ＲＦリレー(３３)から出力されるＲＦ信号を増幅する第１ＲＦ増幅器(３４)と、第１ＲＦ増幅器(３４)から増幅され出力されるＲＦ信号を分配するＲＦ信号分配器(３５)を含んでいる。
【０００４】
また、ＲＦ変調部(４０)は、前記ＲＦスイッチ部（３０）のＲＦ信号分配器(３５)と接続されるＲＦ入力端子(４１)と、ＲＦ入力端子(４１)で受信されるＲＦ信号を増幅する第２ＲＦ増幅器(４２)と、入力されるＲＦ信号を同調及び復調する受信機内部の、デジタル同調及び復調部(５０)から出力されるデジタルビデオ／オーディオ信号を受信し、これらを変調するＲＦ変調器(４３)と、外部の制御信号(図示略)によって、第２ＲＦ増幅器(４２)から増幅され出力されるＲＦ信号、またはＲＦ変調器（４３）から出力されるアナログ同調信号を選択的に伝達するＲＦ選択スイッチ(４４)と、ＲＦ選択スイッチ(４４)から出力される信号を出力するＲＦ出力端子(４５)を含んでいる。
【０００５】
このような従来のＲＦスイッチとＲＦ変調部が分離されたＲＦシステムの作動を、図１を参照して説明する。
もし、ＲＦリレー（３３）がＲＦリレーコントロール信号によりスイッチングされ、それぞれのアンテナ(２１、２２)を介して、ＲＦ信号が選択的に第１ＲＦ増幅器(３４)に供給されれば、第１ＲＦ増幅器(３４)は、上記ＲＦ信号を増幅し、ＲＦ信号分配器(３５)に出力する。
【０００６】
ＲＦ信号分配器(３５)は、入力されたＲＦ信号を分配する。分配されたＲＦ信号はＲＦ変調部(４０)に伝達され、分配された他のＲＦ信号は、デジタル同調及び復調部(５０)に伝達される。ＲＦ変調部(４０)に入力されたＲＦ信号は、第２ＲＦ増幅器(４２)により増幅されるが、同時に、図１のように、ＲＦ選択スイッチ(４４)が第２ＲＦ増幅器(４２)をＲＦ出力端子(４５)に接続すれば、増幅されたＲＦ信号は、すぐにＲＦ出力端子(４５)を介して出力される。
【０００７】
一方、ＲＦ選択スイッチ(４４)がＲＦ変調器(４３)とＲＦ出力端子(４５)を接続していれば、ＲＦ変調器(４３)で変調されたデジタルオーディオ／ビデオ信号が、ＲＦ出力端子(４５)を介して出力される。この時、ＲＦ変調器(４３)はデジタル同調及び復調部(５０)（またはアナログ同調及び復調部）で検波されたオーディオ／ビデオ信号を受信し、特定アナログチャンネル放送に変調してＲＦ信号を出力する。
【０００８】
しかし、このような従来のＲＦスイッチ部とＲＦ変調部の分離型ＲＦシステムは、ＲＦスイッチ部とＲＦ変調部がそれぞれ独立したブロックで構成されている。そのような構造は、それぞれのブロックに対する入出力マッチングばかりでなく、各ブロック内の同じ装置(例えば、ＲＦ増幅器等)から生じる信号のロス(損失)及び雑音信号の発生等により、性能の低下が発生する問題点がある。
【０００９】
また、従来のＲＦスイッチ部とＲＦ変調部の分離型ＲＦシステムは、ＲＦスイッチ部とＲＦ変調部がそれぞれ独立的なブロックで構成されているために、製品サイズが相対的に大きくなる問題点がある。
【発明の開示】
【発明が解決しようとする課題】
【００１０】
したがって、本発明の目的は、ＲＦスイッチ部とＲＦ変調部が１つのモジュールに統合されたＲＦシステムを提供することにより、入出力マッチングばかりでなく、同じ装置を使用することから生じる信号ロス(損失)及び雑音信号の発生による性能低下を防ぎ、そして製品のサイズを比較的、小さくすることにある。
【００１１】
また、本発明の他の目的は、ＲＦスイッチ部を使用してマルチ信号の入力を選択し、非選択信号を遮断することによって、選択された信号への非選択信号の影響を最小にするように構成するところにある。
【課題を解決するための手段】
【００１２】
本発明のＲＦスイッチ及び変調部を一体型にしたＲＦシステムは、複数のアンテナ、ＲＦ部、及びデジタル同調及び復調部から構成され、このシステムは、前記それぞれのアンテナと接続される複数のＲＦ入力端子と、複数のＲＦ入力端子に受信されるＲＦ信号を、コントロール信号により選択的に出力するＲＦリレーと、前記ＲＦリレーから出力されるＲＦ信号を増幅するＲＦ増幅器と、前記ＲＦ増幅器から増幅され出力されるＲＦ信号を分配するＲＦ信号分配器と、前記ＲＦ信号分配器と接続される前記デジタル同調及び復調部から出力される信号を入力し変調してＲＦ信号を出力するＲＦ変調器と、前記ＲＦ信号分配器から出力されるＲＦ信号及び前記ＲＦ変調器から出力されるＲＦ信号を制御信号によって少なくても１つ以上選択的に出力するＲＦ選択スイッチと、前記ＲＦ選択スイッチから出力される信号を出力するＲＦ出力端子とを含む。
【００１３】
また、本発明は、前記それぞれのアンテナと接続される複数のＲＦ入力端子と、複数のＲＦ入力端子に受信されＲＦ信号を、コントロール信号により選択的に出力するＲＦリレーと、前記ＲＦリレーから出力されるＲＦ信号を分配するＲＦ信号分配器と、前記ＲＦ信号分配器と接続され、前記デジタル同調及び復調部から出力される信号を受信し、変調してＲＦ信号を出力するＲＦ変調器と、制御信号に基づき、前記ＲＦ信号分配器及び前記ＲＦ変調器から出力される少なくとも１つのＲＦ信号を、選択的に出力するＲＦ選択スイッチと、前記ＲＦ選択スイッチから出力される信号を出力するＲＦ出力端子とを含む。
【００１４】
また、本発明は前記それぞれのアンテナと接続される複数のＲＦ入力端子と、複数のＲＦ入力端子に入力されたＲＦ信号を、コントロール信号により選択的に出力するＲＦリレーと、前記ＲＦリレーから出力されるＲＦ信号を増幅する第１ＲＦ増幅器と、前記ＲＦ増幅器から増幅され出力されるＲＦ信号を分配する第１ＲＦ信号分配器と、前記第１ＲＦ信号分配器から出力されるＲＦ信号を増幅する第２ＲＦ増幅器と、前記第２ＲＦ増幅器から増幅され出力されるＲＦ信号を分配する第２ＲＦ信号分配器と、前記第１及び第２ＲＦ信号分配器と接続され、前記デジタル同調及び復調部から出力される信号を受信し、変調してＲＦ信号を出力するＲＦ変調器と、制御信号に基づき、前記第２ＲＦ信号分配器及び前記ＲＦ変調器から出力されるＲＦ信号を、少なくても１つ選択的に出力するＲＦ選択スイッチと、前記ＲＦ選択スイッチから出力される信号を出力するＲＦ出力端子とを含む。
【発明の効果】
【００１５】
したがって、本発明によれば、ＲＦスイッチ部とＲＦ変調部が１つのモジュールで統合されたＲＦスイッチ一体型ＲＦ変調回路を提供することによって、入出力マッチングばかりでなく、同じ装置の使用により発生する信号損失及び雑音信号の発生による性能低下を防止し、また、製品のサイズを比較的小さくできる。また、ＲＦスイッチを使用してマルチ信号の入力の選択し、非選択信号を遮断することによって、選択される信号への非選択信号による影響を最小にできる。
【発明を実施するための最良の形態】
【００１６】
以下、本発明によるＲＦスイッチ部とＲＦ変調部の一体型ＲＦシステムの構成を、図２を参照し、説明する。
図２において、図１のＲＦシステムと同一部分については、図１と同一の符号を付与し、それに対する説明を省略する。
図２は、本発明による ＲＦスイッチ部とＲＦ変調部の一体型ＲＦシステムの構成を概略的に表わしたブロック図である。図２に示すように、本発明によるＲＦスイッチ部とＲＦ変調部の一体型ＲＦシステム(１００)は、複数のＲＦ入力端子(１１０、１２０)と、ＲＦリレー(１３０)と、ＲＦ増幅器(１４０)と、１つ以上のＲＦ信号分配器(１５０)と、ＲＦ変調器(１６０)と、ＲＦ選択スイッチ (１７０) と、ＲＦ出力端子(１８０)により構成される。
【００１７】
複数のＲＦ入力端子(１１０、１２０)は、それぞれアンテナ(２１、２２)と接続される。ＲＦリレー(１３０)は、複数のＲＦ入力端子(１１０、１２０)に入力したＲＦ信号を、外部から入力されたＲＦリレーコントロール信号により、スイッチングして選択的に出力する。
【００１８】
ここで、ＲＦリレー(１３０)は、マルチ信号中、特定信号を選択し、非選択信号が流入されることを回路的に遮断する。ＲＦ増幅器(１４０)は、ＲＦリレー(１３０)から出力されるＲＦ信号を増幅する。ＲＦ信号分配器(１５０)は、ＲＦ増幅器(１４０)から増幅され出力されるＲＦ信号を分配する。ＲＦ信号分配器は、１つ以上のＲＦ信号分配器(１５０ａ／１５０ｂ)で構成される。ＲＦ変調器(１６０)は、デジタル同調及び復調（tuner and demodulator）部(５０)(またはアナログ同調及び復調部)から出力されるデジタル(またはアナログ)ビデオ／オーディオ信号を受信し、特定アナログチャンネル放送として変調し、ＲＦ信号を出力する。ＲＦ選択スイッチ(１７０)は、外部の制御信号(図示略)によって、ＲＦ信号分配器(１５０)から出力されたＲＦ信号、または変調器(１６０)から出力されたＲＦ信号を選択的に伝播する。ＲＦ出力端子(１８０)は、ＲＦ選択スイッチ(１７０)からの信号を出力する。
【００１９】
以下、本発明によるＲＦスイッチ部とＲＦ変調部の一体型ＲＦシステムの動作を、図２を参照して説明する。
まず、ＲＦリレー(１３０)が、ＲＦリレーコントロール信号によりスイチッングされ、それぞれのアンテナ(２１、２２)を介して入力されるＲＦ信号を、第1ＲＦ増幅器１４０に選択的にＲＦ増幅器(１４０)に供給する。第1のＲＦ増幅器１４０は、上記ＲＦ信号を増幅してＲＦ信号分配器(１５０)に供給する。この時、ＲＦリレー(１３０)は、第1ＲＦ増幅器（１４０）へ、ＲＦリレーコントロール信号により特定アンテナだけを通して流入された信号だけを通過させて、他のアンテナを通して流入した信号を遮断する。それによって、他のアンテナを通して流入された信号が、選択された特定のアンテナを通して流入された信号に影響を与えないようにする。
【００２０】
ＲＦ信号分配器(１５０)は、入力されたＲＦ信号を分配する。分配されたあるＲＦ信号はＲＦ選択スイッチ(１７０)に伝達され、分配された他のＲＦ信号はデジタル同調及び復調部(５０)に伝達される。
図２に示すように、ＲＦ選択スイッチ(１７０)がＲＦ出力端子(１８０)と接続されている場合、ＲＦ選択スイッチ(１７０)に伝達された信号は、直接、ＲＦ出力端子(１８０)を介して出力される。
【００２１】
一方、ＲＦ選択スイッチ(１７０)が、ＲＦ変調器(１６０)をＲＦ出力端子(１８０)に接続する場合には、ＲＦ変調器(１６０)で変調されたデジタル オーディオ／ビデオ信号ガＲＦ出力端子(１８０)を通して出力される。この時、ＲＦ変調器(１６０)は、デジタル同調及び復調部(５０)(またはアナログ同調及び復調部)で検波されたオーディオ／ビデオ信号を受信し、特定アナログチャンネル放送で変調してＲＦ信号を出力する。したがって、ＲＦスイッチとＲＦ変調器を１つのモジュールに統一することによって、重複される素子の数を排除し、回路の体積を最小化させて、信号のロス(損失)及び雑音信号の発生による性能低下を未然に防止する。
また、ＲＦリレーにより特定アンテナを通して流入された信号だけを通過させるので、マルチ信号の入力時、選択された信号に非選択信号が影響を及ぼすことを防止できる。
【００２２】
図３は、本発明の他の実施例によるＲＦスイッチ部とＲＦ変調部を一体型にしたＲＦシステムの構成を、概略的に表わしたブロック図である。図３の構成は、基本的に図２の構成と同一であり、 ＲＦリレー部(１３０)で選択され、出力されたＲＦ信号が、増幅されずに、直接、ＲＦ分配器(１５０)に入力される。
【００２３】
図４は、本発明の他の実施例によるＲＦスイッチ部とＲＦ変調部を一体型にしたＲＦシステムの構成を、概略的に表わしたブロック図である。図４の構成は、図２の構成と実質的に同一である。ＲＦリレー部(１３０)で選択され、出力されたＲＦ信号は、第１ＲＦ増幅器(１４０)で増幅され、第１ＲＦ信号分配器(２００)に入力される。そして、前記第１ＲＦ信号分配器から出力された信号は、デジタル同調及び復調部(５０)と、第２ＲＦ増幅器(１９０)とに入力する。
前記第２ＲＦ増幅器により増幅された信号は、第２ＲＦ信号分配器（２１０）に入力され、選択スイッチ(１７０)に出力される。以下、図４のように構成することについて詳しく説明する。
【００２４】
図４において、図２のように、ＲＦリレーコントロール信号により、ＲＦリレー部(１３０)から選択された信号が出力され、この出力された信号が第１ＲＦ増幅器(１４０)及び第２増幅器(１９０)を介して増幅される。一方、本発明では、アンテナに流入した信号(空中波信号，ケーブル信号)と (ＲＦ信号分配器及びＲＦ分配器からの)出力信号との間に、十分な分離（isolation）が行われるようにしなければならない。なぜならば、ＲＦリレー部で選択されない信号が、グランド（接地）や信号出力ラインに入力する場合には、非選択信号が選択信号に影響を与え、それが、デジタルＴＶ画面にノイズを発生させる役割を生じる。特に、アンテナに流れ込む電界がより強くなる程、ノイズがひどくなる。
【００２５】
したがって、本発明では、アンテナ入力地上信号（antenna input terrestrial signal）、ケーブル信号及び出力信号間の分離、ＲＦ変調器の出力とアンテナ入力信号間の分離、そしてＲＦ変調器の出力とアンテナへの入出力信号及びアンテナからの入出力信号間の分離を、十分にするように構成される。
【００２６】
前述したように、ＲＦリレー部(１３０)で選択された信号が、デジタル同調及び復調部に入力される間、デジタル同調及び復調部が同時に作動する時、デジタルチューナ間の干渉を発生させる。この時、第２ＲＦ増幅器(１９０)はデジタルチューナ間の干渉をなくすために必要である。
【００２７】
図５は、本発明のＲＦリレー部へ、あるいはＲＦリレー部からの入出力信号及びＲＦリレー部の接地状態を表す図面である。図５は、図４で説明した信号間の分離を確実にした構成を示すものである。図面に示されるように、アンテナ入力における二つの入力信号ラインのパターンＳ１，Ｓ２は、高周波信号の入力インピーダンスにマッチングさせるために、４ｍｍ以上の厚さを持たねばならず、また、ＲＦリレー部で選択された信号の出力ラインも出力インピーダンス にマッチングさせるため、４ｍｍ以上の厚さが必要である。
【００２８】
一方、ＲＦリレー部で選択されない信号成分を出力するグランド(Ｇ１，Ｇ２)からの入力信号と出力信号の分離を確保するために、５ｍｍ以上間隔を有するパターン設計をする。もし、ＲＦリレー部で選択された出力信号とグランド(Ｇ１，Ｇ２)間の間隔が、あまりに狭いとか、あるいは遠く離れる場合、ＲＦリレー部で選択されない信号成分が、選択された出力ラインに流れ込む。これは、入出力間の分離を悪化させるので、出力ラインとグランド(Ｇ１，Ｇ２)間のパターンは、一定した間隔を維持することが必要である。
【００２９】
以上、本発明の望ましい実施例を説明したが、前記実施例を適宜変更し、応用することが可能である。したがって、前記載内容は特許請求範囲により決められる本発明の範囲を限定したものではない。
【産業上の利用可能性】
【００３０】
デジタル放送、地上デジタル放送及び衛星放送等を送受信するマルチメディア送／受信機に適用可能である。
【図面の簡単な説明】
【００３１】
【図１】従来のＲＦスイッチ部とＲＦ変調部が分離されＲＦシステムの構成を概略的に表わしたブロック図である。
【図２】本発明の一実施例による、ＲＦスイッチ部とＲＦ変調部を一体型にしたＲＦシステムの構成を概略的に表わしたブロック図である。
【図３】本発明の他の実施例によるＲＦスイッチ部とＲＦ変調部を一体型にしたＲＦシステムの構成を概略的に表わしたブロック図である。
【図４】本発明の他の実施例によるＲＦスイッチ部とＲＦ変調部を一体型にしたＲＦシステムの構成を概略的に表わしたブロック図である。
【図５】本発明のＲＦリレー部に入出力された信号及び接地状態を表わした図面である。
【符号の説明】
【００３２】
１００  ＲＦスイッチ部とＲＦ変調部の一体型ＲＦシステム
１１０、１２０  ＲＦ入力端子
１３０  ＲＦリレー
１４０  ＲＦ増幅器
１５０  ＲＦ信号分配器
１６０  ＲＦ変調器
１７０  ＲＦ選択スイッチ
１８０  ＲＦ出力端子
【図１】
2005510138.tif 000003
【図２】
2005510138.tif 000004
【図３】
2005510138.tif 000005
【図４】
2005510138.tif 000006
【図５】
2005510138.tif 000007
【国際調査報告】
2005510138.tif 000008
2005510138.tif 000009